(57)【要約】【課題】  本発明は目地プレートの上面全体にきれいに石、タイル、レンガ等の床化粧材を貼り付けることができるとともに、全体を比較的に薄い目地プレートを用いて、コストの低減を図ることができる床用目地装置を得るにある。【解決手段】  浅皿状の目地プレート本体の上面に床化粧材が固定され、後端部が支持ピンで係止された目地プレートを用いた床用目地装置において、前記目地プレートの後端部の底面を下方へ突出させた支持突片を形成し、該支持突片部位に目地プレート支持凹部に固定された支持ピンが、前記目地プレートの先端部が上方へ回動可能に支持する支持ピンケースを設けて床用目地装置を構成している。【選択図】  図２
2010189934.tif 000002
【特許請求の範囲】
【請求項１】
浅皿状の目地プレート本体の上面に床化粧材が固定され、後端部が支持ピンで係止された目地プレートを用いた床用目地装置において、前記目地プレートの後端部の底面を下方へ突出させた支持突片を形成し、該支持突片部位に目地プレート支持凹部に固定された支持ピンが、前記目地プレートの先端部が上方へ回動可能に支持する支持ピンケースを設けたことを特徴とする床用目地装置。
【請求項２】
支持突片を支持ピンケースで形成したことを特徴とする請求項１記載の床用目地装置。
【発明の詳細な説明】
【技術分野】
【０００１】
本発明は車両等の走行が可能な左右の床躯体間の目地部を覆う床用目地装置に関する。
【背景技術】
【０００２】
従来、この種の床用目地装置は上面に石、タイル等の床化粧材を固定した目地プレートを目地部の端部に形成した目地プレート支持凹部に支持させて目地部を覆い、目地部が狭くなると先端部が上方へ回動できるように後端部に設けた支持ピンケースに係止される支持ピンで支持するように構成されていた。
しかし、目地プレートの後端部に支持ピンを係止する支持ピンケースが設けられるため、該支持ピンケースが設けられた部位には床化粧材を敷設することができず、きれいな仕上がりにできないという欠点があった。
【先行技術文献】
【特許文献】
【０００３】
【特許文献１】特開２００７−１３２１５７
【発明の概要】
【発明が解決しようとする課題】
【０００４】
本発明は以上のような従来の欠点に鑑み、目地プレートの上面全体にきれいに石、タイル、レンガ等の床化粧材を貼り付けることができるとともに、全体を比較的に薄い目地プレートを用いて、コストの低減を図ることができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は浅皿状の目地プレート本体の上面に床化粧材が固定され、後端部が支持ピンで係止された目地プレートを用いた床用目地装置において、前記目地プレートの後端部の底面を下方へ突出させた支持突片を形成し、該支持突片部位に目地プレート支持凹部に固定された支持ピンが、前記目地プレートの先端部が上方へ回動可能に支持する支持ピンケースを設けて床用目地装置を構成している。
【発明の効果】
【０００７】
以上の説明から明らかなように、本発明にあっては次に列挙する効果が得られる。
【０００８】
（１）目地プレートの後端部の底面を下方へ突出させた支持突片を形成し、該支持突片部位に目地プレート支持凹部に固定された支持ピンが目地プレートの先端部が上方へ回動可能に支持する支持ピンケースを設けたので、従来のように支持ピンケースが目地プレート本体の上面に位置することなく設置でき、目地プレート本体の全体の表面部位に床化粧材を敷設固定することができる。
したがって、目地プレートの美観を向上させることができる。
【０００９】
（２）前記（１）によって、目地プレートの後端部だけを下方へ突出する支持突片を形成すればよいので、後端部を除く目地プレート部位を比較的薄く設定することができる。
したがって、軽量化やコストの低減を図ることができる。
【００１０】
（３）請求項２も前記（１）、（２）と同様な効果が得られる。
【図面の簡単な説明】
【００１１】
【図１】本発明を実施するための第１の形態の平面図。
【図２】図１の２−２線に沿う断面図、
【図３】図１の３−３線に沿う断面図。
【図４】本発明を実施するための第１の形態の目地プレートの説明図。
【図５】本発明を実施するための第１の形態の目地部が広くなった動作説明図。
【図６】本発明を実施するための第１の形態の目地部が狭くなった動作説明図。
【図７】本発明を実施するための第２の形態の平面図。
【図８】図７の８−８線に沿う断面図。
【図９】本発明を実施するための第２の形態の目地プレートの説明図。
【図１０】本発明を実施するための第３の形態の平面図。
【図１１】図１０の１１−１１線に沿う断面図。
【図１２】本発明を実施するための第３の形態の目地プレートの説明図。
【図１３】本発明を実施するための第４の形態の平面図。
【図１４】図１３の１４−１４線に沿う断面図。
【図１５】本発明を実施するための第４の形態の目地プレートの説明図。
【図１６】本発明を実施するための第４の形態の目地部が狭くなった動作説明図。
【図１７】本発明を実施するための第５の形態の平面図。
【図１８】図１７の１８−１８線に沿う断面図。
【図１９】本発明を実施するための第５の形態の目地部が狭くなった動作説明図。
【発明を実施するための形態】
【００１２】
以下、図面に示す本発明を実施するための形態により、本発明を詳細に説明する。
【００１３】
図１ないし図６に示す本発明を実施するための第１の形態において、１は目地部２を介して設けられた車両の走行が可能な左右の床躯体３、３間を覆う本発明の床用目地装置で、この床用目地装置１は一方の床躯体３の目地部側に形成された反目地部側が傾斜面４に形成された目地プレートスライド支持凹部５と、この目地プレートスライド支持凹部５と対応する部位の他方の床躯体３の目地部側に該目地プレートスライド支持凹部５の深さ寸法よりも後述の支持突片が入り込む深さ寸法に形成された目地プレート支持凹部６と、この目地プレート支持凹部６に後端部が支持され、先端部が前記目地プレートスライド支持凹部５にスライド移動可能に支持される目地プレート７と、この目地プレート７の先端部が上方へ回動できるように、該目地プレート７の両側寄りの部位の後端部の底面に下方へ突出する支持突片としての支持ピンケース８、８および、この支持ピンケース８、８内に挿入される前記目地プレート支持凹部６に固定された支持ピン９、９とからなる取付手段１０とで構成されている。
【００１４】
前記目地プレート７は図４に示すように、浅皿状の長方形状の金属材製の目地プレート本体１１と、この目地プレート本体１１内に充填されたコンクリートやモルタル１２と、このコンクリートやモルタル１２の上部全体に貼設された石、タイル、レンガ等の床化粧材１３と、前記目地プレート本体１１の両側寄りの部位の後端部の底面に下方へ突出するように固定された支持突片としての支持ピンケース８、８と、前記目地プレート本体１１の先端部の上部寄りの部位にヒンジ部材１４を介して、先端部が回動可能に取付けられたカバープレート１５とで構成されている。
【００１５】
上記構成の床用目地装置１は、通常時には図１および図２に示すように目地プレートスライド支持凹部５および目地プレート支持凹部６に、目地部２で覆うように目地プレート７が支持されて、左右の床躯体３、３間を車両の走行が可能となるように設置されている。
地震で目地部２が広くなると、図５に示すように他方の床躯体３の目地プレート支持凹部６の支持ピン９、９によって目地プレート７の先端部が他方の床躯体３方向へ移動する。  すなわち、目地プレート７の先端部は目地プレートスライド支持凹部５をスライド移動して、その揺れ動きを吸収する。
地震で目地部２が狭くなると図６に示すように、目地プレート７の先端部は目地プレートスライド支持凹部５より、一方の床躯体３の床面上へ回動しながら突出し、その揺れ動きを吸収する。
なお、地震の揺れ動きが停止すると、支持ピン９、９と支持ピンケース８、８とによって、元の状態へ自動的に戻る。
目地プレート本体１１に敷設される床化粧材１３は支持ピンケース８、８が、該目地プレート本体１１の底面より下方へ突出しているため、床化粧材１３の敷設のじゃまになることなく、上面全体にきれいに敷設することができる。
[発明を実施するための異なる形態]
【００１６】
次に、図７ないし図１９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１７】
図７ないし図９に示す本発明を実施するための第２の形態において、前記本発明を実施するための第１の形態と主に異なる点は、目地プレート本体１１の両側部寄りの後端部の底面に床化粧材１３の敷設スペースを残して、支持ピンケース８、８の上端部が収納される支持ピンケース収納部１６、１６を形成し、該支持ピンケース収納部１６、１６に上端部が挿入された支持ピンケース８、８を固定した目地プレート７Ａを用いた点で、このように形成した目地プレート７Ａを用いて構成した床用目地装置１Ａにしても、前記本発明を実施するための第１の形態と同様な作用効果が得られるとともに、目地プレートの後端部の高さ寸法を低くすることができる。
【００１８】
図１０ないし図１２に示す本発明を実施するための第３の形態において、前記本発明を実施するための第１の形態と主に異なる点は、両側寄りの後端部の底面に支持突片１７を形成し、該支持突片１７の両側部寄りの部位に支持ピンケース８、８を埋設した目地プレート７Ｂを用いた点で、このように形成した目地プレート７Ｂを用いて構成した床用目地装置１Ｂにしても、前記本発明を実施するための第１の形態と同様な作用効果が得られる。
【００１９】
図１３ないし図１６に示す本発明を実施するための第４の形態において、前記本発明を実施するための第３の形態と主に異なる点は、目地部２に位置する目地プレート本体１１の底面にセリ上がり用の傾斜突片１８を形成した目地プレート７Ｃを用いた点で、このように形成された目地プレート７Ｃを用いて構成した床用目地装置１Ｃにしても、前記本発明を実施するための第３の形態と同様な作用効果が得られるとともに、目地部２が狭くなるように揺れ動いた場合、図１６に示すように目地プレート７Ｃをほぼ水平に位置させることができる。
【００２０】
図１７ないし図１９に示す本発明を実施するための第５の形態において、前記本発明を実施するための第４の形態と主に異なる点は、目地プレート７Ｃの後端部が位置する目地プレート支持凹部６の側壁６ａを傾斜面に形成するとともに、目地プレート本体１１の後端部の上部にヒンジ部材１９を介してカバープレート２０を設置した点で、このように構成した床用目地装置１Ｄにしても、前記本発明を実施するための第４の形態と同様な作用効果が得られるとともに、目地プレート７Ｃが移動した場合でも、カバープレート１５、２０によって安全に使用することができる。
【産業上の利用可能性】
【００２１】
本発明は車両等が走行可能な床用目地装置を製造する産業で利用される。
【符号の説明】
【００２２】
１、１Ａ、１Ｂ、１Ｃ、１Ｄ：床用目地装置、
２：目地部、                  ３：床躯体、
４：傾斜面、
５：目地プレートスライド支持凹部、    
６：目地プレート支持凹部、
７、７Ａ、７Ｂ、７Ｃ：目地プレート、
８：支持突片としての支持ピンケース、
９：支持ピン、                １０：取付手段、
１１：目地プレート本体、      １２：コンクリートやモルタル、
１３：床化粧材、              １４：ヒンジ部材、
１５：カバープレート、        １６：支持ピンケース収納部、
１７：支持突片、              １８：傾斜突片、
１９：ヒンジ部材、            ２０：カバープレート。
【図１】
2010189934.tif 000003
【図２】
2010189934.tif 000004
【図３】
2010189934.tif 000005
【図４】
2010189934.tif 000006
【図５】
2010189934.tif 000007
【図６】
2010189934.tif 000008
【図７】
2010189934.tif 000009
【図８】
2010189934.tif 000010
【図９】
2010189934.tif 000011
【図１０】
2010189934.tif 000012
【図１１】
2010189934.tif 000013
【図１２】
2010189934.tif 000014
【図１３】
2010189934.tif 000015
【図１４】
2010189934.tif 000016
【図１５】
2010189934.tif 000017
【図１６】
2010189934.tif 000018
【図１７】
2010189934.tif 000019
【図１８】
2010189934.tif 000020
【図１９】
2010189934.tif 000021